(57)【要約】【課題】異なる操作感や、それぞれの操作力を独立して設定することが可能な操作機構を提供する。【解決手段】本開示の操作機構は、固定部に対して摺動可能な操作部と、操作部に対して異なる操作感を発生させる複数の操作感発生部材と、複数の操作感発生部材を独立して切り替え、操作部に作用する操作感発生部材を切り替える切替部と、を備える。【選択図】図３
2015075912.tif 000002
【特許請求の範囲】
【請求項１】
固定部に対して摺動可能な操作部と、
前記操作部に対して異なる操作感を発生させる複数の操作感発生部材と、
前記複数の操作感発生部材を独立して切り替え、前記操作部に作用する前記操作感発生部材を切り替える切替部と、
を備える、操作機構。
【請求項２】
前記切替部は、前記操作部に対して操作負荷を与え、連続して摺動可能に作用する第１の操作感発生部材と、前記操作部の摺動に伴ってクリック感を発生させるように前記操作部に作用する第２の操作感発生部材と、を切り替える、請求項１に記載の操作機構。
【請求項３】
前記第１の操作感発生部材は、前記操作部に接触して操作負荷を与え摺動抵抗を生じさせる、請求項２に記載の操作機構。
【請求項４】
前記操作部には、前記第２の操作感発生部材が接触する部分にクリック感の間隔に応じた凹凸が形成されており、
前記第２の操作感発生部材は、前記凹凸に付勢されて、前記操作部の摺動に伴ってクリック感を生じさせる、請求項２に記載の操作機構。
【請求項５】
前記操作部は、周方向に沿って前記操作感発生部材が接触するフランジ部を備える環状部材であり、
前記操作部の回転軸方向における前記フランジ部の第１面と当該第１面の反対側にある第２面とに対して、前記複数の操作感発生部材がそれぞれ独立して作用する、請求項１に記載の操作機構。
【請求項６】
前記操作部は環状部材であり、
前記操作部の内周面または外周面のうち少なくともいずれか一方に対して、前記複数の操作感発生部材が前記操作部の径方向から作用する、請求項１に記載の操作機構。
【請求項７】
前記操作部は回転軸を中心に回転可能な板状部材であり、
前記操作部の回転軸方向における前記操作部の第１面、または前記第１面と当該第１面の反対側にある第２面のうち少なくともいずれか一方の面に対して、前記複数の操作感発生部材が作用する、請求項１に記載の操作機構。
【請求項８】
前記複数の操作感発生部材は、前記操作部に対して与える操作負荷の大きさが異なる、請求項１に記載の操作機構。
【請求項９】
前記操作部は、凹凸のピッチの異なる複数の凹凸面を有し、
前記各凹凸面に対してそれぞれ前記操作感発生部材が付勢され、
前記切替部は、前記各操作感発生部材を切り替えることにより、前記操作部の摺動に伴って異なるクリック感を生じさせる、請求項１に記載の操作機構。
【請求項１０】
前記切替部は、前記操作感発生部材の切り替えとともに、前記操作部の機能を変更する、請求項１に記載の操作機構。
【請求項１１】
撮像部と、
１または複数の操作部と、
前記操作部の操作情報に基づいて前記撮像部を制御する制御部と、
を備え、
少なくとも１つの前記操作部は、
固定部に対して摺動可能であり、
当該操作部に対して異なる操作感を発生させる複数の操作感発生部材と、
前記複数の操作感発生部材を独立して切り替え、前記操作部に作用する前記操作感発生部材を切り替える切替部と、
を有する、撮像装置。
【請求項１２】
前記撮像装置の撮影モードに基づいて、前記操作部の操作感を切り替える切替制御部を備える、請求項１１に記載の撮像装置。
【発明の詳細な説明】
【技術分野】
【０００１】
本開示は、操作部の操作感を切り替え可能な操作機構およびこれを備える撮像装置に関する。
【背景技術】
【０００２】
デジタルカメラやカムコーダ等の撮像装置においては、フォーカス調整や絞り値、ズームの設定、撮影モードの選択等のカメラの設定等、様々な調整が行われる。例えばフォーカスや絞り値、ズームの調整であれば撮像装置本体部に取り付けられたレンズ部のレンズリングを回転させることで調整可能である。また、撮影モードの選択は、本体部に設けられたモードダイヤルを回転させることで選択可能である。
【０００３】
フォーカスリングやモードダイヤル等の操作部は、ユーザが操作を行い易い操作感を持つように設定される。また、ユーザが正しく設定を行い易いように目的に応じて操作部の操作感を変更することも提案されている。例えば、特許文献１には、操作部が回転する際の負荷力量を制御し、設定されているモードに応じてクリック感をユーザに付与することができる操作装置が開示されている。
【先行技術文献】
【特許文献】
【０００４】
【特許文献１】特開２０１３−１０１３０６号公報
【発明の概要】
【発明が解決しようとする課題】
【０００５】
しかし、上記特許文献１では、操作部の操作感にクリック感を付与すると、操作部のクリックモード時操作力として、クリック感なく連続して動くときの連続モード時操作力にクリック力を加えた力が必要となる。このため、クリックモード時操作力を優先して設定すると連続モード時操作力を軽く設定することになり、連続モード時操作力を優先して設定するとクリックモード時操作力が重くなる。このように、連続して動く操作感とクリック感という異なる操作感や、それぞれの操作力を独立して設定することができなかった。
【０００６】
そこで、本開示では、異なる操作感や、それぞれの操作力を独立して設定することが可能な、新規かつ改良された操作機構およびこれを備えた撮像装置を提案する。
【課題を解決するための手段】
【０００７】
本開示によれば、固定部に対して摺動可能な操作部と、操作部に対して異なる操作感を発生させる複数の操作感発生部材と、複数の操作感発生部材を独立して切り替え、操作部に作用する操作感発生部材を切り替える切替部と、を備える、操作機構が提供される。
【０００８】
また、本開示によれば、撮像部と、１または複数の操作部と、操作部の操作情報に基づいて撮像部を制御する制御部と、を備え、少なくとも１つの操作部は、固定部に対して摺動可能であり、当該操作部に対して異なる操作感を発生させる複数の操作感発生部材と、複数の操作感発生部材を独立して切り替え、操作部に作用する操作感発生部材を切り替える切替部と、を有する、撮像装置が提供される。
【０００９】
本開示によれば、操作部の操作感を切り替える機構は、それぞれの操作感を適切な操作力で操作できるように、操作部の操作感を発生させる複数の操作感発生部材を切替部によって独立して切り替え可能に構成されている。
【発明の効果】
【００１０】
以上説明したように本開示によれば、異なる操作感や、それぞれの操作力を独立して設定することが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の実施形態に係る撮像装置の前面側外観を示す概略斜視図である。
【図２】同実施形態に係る撮像装置の背面側外観を示す概略斜視図である。
【図３】同実施形態に係る操作感切替機構を備えるフォーカスリングの概要を示す説明図である。
【図４】クリックモードにおけるフォーカスリングの操作感切替機構の状態を示す説明図であって、撮像装置をｚ方向からみた状態を示す。
【図５】図４のＡ−Ａ切断線における端面図である。
【図６】連続モードにおけるフォーカスリングの操作感切替機構の状態を示す説明図であって、撮像装置をｚ方向からみた状態を示す。
【図７】図５のＢ−Ｂ切断線における端面図である。
【図８】環状の操作部に対して操作感発生部材が径方向から作用する場合の一構成例を示す説明図である。
【図９】円板状の操作部に対して操作感発生部材が回転軸方向から作用する場合の一構成例を示す説明図である。
【図１０】連続モード時に異なる重さの操作感を発生させる機構の一構成例を示す説明図である。
【図１１】クリックモード時に異なるクリック感を発生させる機構の一構成例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．撮像装置の概略構成
２．操作機構の構成
２．１．操作機構の概要
２．２．操作機構の一構成例
（１）構成
（２）クリックモード時の状態
（３）連続モード時の状態
３．変形例
３．１．操作部に対する操作感発生部材の作用方向
３．２．操作感の強弱変更
（１）操作感の重さの変更
（２）クリック数の変更
３．３．操作感および機能の切替
４．操作感切替機構の作動
【００１４】
＜１．撮像装置の概略構成＞
まず、図１および図２を参照して、本開示の実施形態に係る撮像装置１００の概略構成について説明する。なお、図１は、本実施形態に係る撮像装置１００の前面側外観を示す概略斜視図である。図２は、本実施形態に係る撮像装置１００の背面側外観を示す概略斜視図である。
【００１５】
本実施形態では、操作部の操作感を切り替え可能な操作機構を備える撮像装置１００の一例としてデジタルスチルカメラを取り上げる。撮像装置１００は、図１および図２に示すように、本体部１１０と、レンズ部１２０とから構成される。
【００１６】
本体部１１０は、撮像装置全体を制御する制御部や、撮像素子、当該撮像素子によって取得された画像データに対応する電気信号である画像信号を処理する信号処理部等を備える。撮像素子は、撮像素子としては、例えばＣＣＤ（Ｃｈａｒｇｅ Ｃｏｕｐｌｅｄ Ｄｅｖｉｃｅｓ）型イメージセンサ、ＣＭＯＳ（Ｃｏｍｐｌｅｍｅｎｔａｒｙ
Ｍｅｔａｌ Ｏｘｉｄｅ Ｓｅｍｉｃｏｎｄｕｃｔｏｒ）型イメージセンサなどの撮像素子を用いることができる。撮像素子としてＣＭＯＳ型イメージセンサを用いた場合、撮像素子は、撮像面上に形成された光学像を電気信号に変換する。
【００１７】
画像信号である電気信号は、ノイズ除去処理や撮像信号を所望の信号レベルとする利得制御処理を行った後、アナログ信号からデジタル信号に変換して信号処理部に出力される。信号処理部は、入力された電気信号に対して、撮像素子における欠陥画素の信号を補正する欠陥補正処理、レンズの周辺光量低下を補正するシェーディング補正処理、ホワイトバランス調整や輝度補正等の処理を行う。信号処理部により処理された電気信号は、画像データとして例えばディスプレイ１１４等の出力部へ出力される。
【００１８】
レンズ部１２０は、例えば変倍を行うズームレンズ、フォーカシングを行うフォーカスレンズ、撮像素子の撮像面上に形成される光学像の位置を撮像面上で移動させる補正レンズ部等を有して構成されている。ズームレンズ、フォーカスレンズおよび補正レンズ部は、制御部からのレンズ制御信号に基づいて駆動されてもよく、ユーザが操作して駆動することもできる。また、レンズ部１２０は、撮像素子の撮像面への露光量を機械的に調節するメカニカルシャッターと、撮像素子の撮像面上に形成される光学像の光量を調節する絞り機構を備えている。
【００１９】
ズームレンズやフォーカスレンズのレンズ位置、補正レンズ部の変位状態、絞り機構の設定位置等は光学系センサによって検出され、位置信号として制御部へ出力される。また、レンズ部には、制御部からの制御信号に基づいて、ズームレンズやフォーカスレンズ、補正レンズ部、絞り機構等を駆動するドライバが設けられる。
【００２０】
このような撮像装置１００には、図１および図２に示すように、撮像装置１００を操作するための操作部が設けられている。例えば本体部１１０には、シャッターボタン１１２や、モードダイヤル１３２、露出調整ダイヤル１３４、コントロールダイヤル１３６、コントロールホイール１３８等の操作部が設けられている。また、レンズ部１２０には、フォーカスリング１２２やマクロ切替リング１２４、絞りリング１２６等の操作部が設けられている。
【００２１】
このように撮像装置１００には、シャッターボタン１１２のように押下して操作するボタン式の操作部や、モードダイヤル１３２等のように回転して操作するダイヤル式（あるいはホイール式）の操作部のように、様々な操作形態の操作部が設けられている。ここで、本実施形態に係る撮像装置１００には、摺動して回転移動または直線移動する１つの操作部について、その操作感を切り替える操作感切替機構を備えている。これにより、ユーザの好みや操作部の機能に応じて操作部の操作感を選択することが可能となる。以下、操作感切替機構を有する操作機構の構成とその作用について、詳細に説明する。
【００２２】
＜２．操作機構の構成＞
［２．１．操作機構の概要］
まず、図３に基づいて、本実施形態に係る摺動する操作部の操作感を切り替え可能な操作機構の概要について説明する。図３は、本実施形態に係る操作感切替機構を備えるフォーカスリング１２２の概要を示す説明図である。以下では、操作感切替機構を環状の操作部であるフォーカスリング１２２に適用した場合について説明する。フォーカスリング１２２はレンズ部１２０に設けられた環状の操作部であり、回転軸周りに回転させることでフォーカス値を調整することができる。環状の操作部としては、フォーカスリング１２２以外にもマクロ切替リング１２４、絞りリング１２６等もあり、これらに対しても操作感切替機構を設けることもできる。
【００２３】
本実施形態に係るフォーカスリング１２２は、操作感切替機構によってクリック感なく連続して摺動する連続モードと、クリック感のあるクリックモードとの２つの操作感モードを切り替え、その操作感を変更することができる。図３は、フォーカスリング１２２の回転中心を通るよう直径方向に切断したときの環状部分の一部を模式的に示した概略端面図である。フォーカスリング１２２は、図３紙面の手前側あるいは奥側へ回転可能である。フォーカスリング１２２の中空部分には、レンズ部１２０のレンズ１２１等を支持する円筒状の固定枠１２８が挿入される。フォーカスリング１２２は、その内周面に、固定枠１２８の外周面に向かって突出する環状のフランジ部１２２ｃを有している。
【００２４】
フォーカスリング１２２の回転軸方向におけるフランジ部１２２ｃの第１面１２２ａ側は凹凸が繰り返し形成されており、第１面１２２ａと対向するようにクリック感を発生させるための操作感発生部材であるボール１５２が設けられている。一方、フォーカスリング１２２のフランジ部１２２ｃの第１面と反対側の第２面１２２ｂは平坦となっており、第２面１２２ｂと対向するように摺動抵抗を発生させるための操作感発生部材である抵抗部材１５４が設けられている。抵抗部材１５４は、フォーカスリング１２２のフランジ部１２２ｃの第２面１２２ｂに接触して操作負荷を与え摺動抵抗を生じさせる。
【００２５】
切替部（図４の符号１５６）よって連続モードが選択されると、図３上側に示すように、ボール１５２がフォーカスリング１２２の第１面１２２ａから離隔するとともに、抵抗部材１５４が第２面１２２ｂに当接して押圧される。連続モード時には抵抗部材１５４のみフォーカスリング１２２に接触して押圧されており、ボール１５２はフォーカスリング１２２に接触していない。この状態でフォーカスリング１２２を回転させると、フォーカスリング１２２は抵抗部材１５４による抵抗を受けながら滑らかに動く。
【００２６】
一方、切替部によってクリックモードが選択されると、図３下側に示すように、ボール１５２がフォーカスリング１２２の第１面１２２ａに当接して押圧されるとともに、抵抗部材１５４が第２面から離隔する。クリックモード時にはボール１５２のみフォーカスリング１２２に接触して押圧されており、抵抗部材１５４はフォーカスリング１２２に接触していない。この状態でフォーカスリング１２２を回転させると、第１面１２２ａの凹凸に沿ってボール１５２が動く。このとき、ボール１５２が凸部を越えるときに凹部を動くときよりも大きな力が必要となり、これによりフォーカスリング１２２の回転時のクリック感を生じさせることができる。
【００２７】
このように、切替部によってフォーカスリング１２２に当接して作用する操作感発生部材を切り替えることで、フォーカスリング１２２の操作感を連続モードとクリックモードとから選択することが可能となる。また、本実施形態に係る操作感切替機構を備える操作機構では、選択された操作感モードに応じてその操作感を発生させる操作感発生部材のみがフォーカスリング１２２に接触して作用し、これ以外の操作感発生部材はフォーカスリング１２２に接触しない。このため、それぞれの操作感やその操作力を独立して設定することが可能である。
【００２８】
［２．２．操作機構の一構成例］
操作感切替機構を備えたフォーカスリング１２２の一構成例を、図４〜図７に基づいて説明する。図４は、クリックモードにおけるフォーカスリング１２２の操作感切替機構の状態を示す説明図であって、撮像装置１００をｚ方向からみた状態を示す。図５は、図４のＡ−Ａ切断線における端面図である。図６は、連続モードにおけるフォーカスリング１２２の操作感切替機構の状態を示す説明図であって、撮像装置１００をｚ方向からみた状態を示す。図７は、図６のＢ−Ｂ切断線における端面図である。図４および図６において、操作部であるフォーカスリング１２２については、説明を分かりやすくするため、フランジ部１２２ｃのみ記載している。
【００２９】
なお、本実施形態において、操作機構とは操作部であるフォーカスリング１２２および操作感切替機構を指す。操作感切替機構とは操作部の操作感を切り替えるために操作感発生部材を動かし操作部に作用させる構成要素をいう。
【００３０】
（１）構成
フランジ部１２２ｃの第１面１２２ａには回転軸方向（ｘ方向）に波打った凹凸が形成されている。第１面１２２ａに対向してクリック感を発生させるための操作感発生部材であるボール１５２が設けられている。ボール１５２は、例えば銅球である。
【００３１】
ボール１５２には、当該ボール１５２には弾性部材である第１の圧縮コイルばね１５１の一端と当接するように設けられている。第１の圧縮コイルばね１５１は、フォーカスリング１２２の回転軸方向（ｘ方向）に延設されており、他端は固定枠１２８の一部（以下、「第１の固定部１２８ａ」ともいう。）に固定されている。また、ボール１５２は、回転軸方向（ｘ方向）において第１の圧縮コイルばね１５１の一端が当接している部分と反対側が切替部１５６のホルダー１５５に当接している。すなわち、圧縮コイルばね１５１はボール１５２を付勢しており、ボール１５２は第１の圧縮コイルばね１５１とホルダー１５５とに挟まれ支持されている。
【００３２】
一方、フランジ部１２２ｃの第１面１２２ａと反対側の面である第２面１２２ｂは平坦に形成されている。第２面１２２ｂに対向して摺動抵抗を発生させるための操作感発生部材である抵抗部材１５４が設けられている。
【００３３】
抵抗部材１５４としては、グリスが塗布された部材や布等を用いることができる。抵抗部材１５４は、フランジ部１２２ｃの第２面１２２ｂと接触した状態でフォーカスリング１２２が回転されたときに、ユーザが操作しやすい適切な操作感を与えるような摩擦を発生させるように調整されている。抵抗部材１５４は、例えば環状の部材であって、フランジ部１２２ｃの第２面１２２ｂに均等に接触するような形状とすることができる。
【００３４】
抵抗部材１５４は、フォーカスリング１２２の回転軸方向（ｘ方向）において、抵抗面１５４ａの一部がホルダー１５５の端面と対向している。これらは常に当接している。また、抵抗部材１５４の抵抗面１５４ａの他の一部は、フランジ部１２２ｃの第２面１２２ｂと接触可能に対向している。抵抗部材１５４の抵抗面１５４ａと反対側の面１５４ｂは、フォーカスリング１２２の回転軸方向（ｘ方向）に延設された第２の圧縮コイルばね１５３の一端と当接している。第２の圧縮コイルばね１５３の他端は、固定枠１２８の一部（以下、「第２の固定部１２８ｂ」ともいう。）に固定されている。すなわち、圧縮コイルばね１５３は抵抗部材１５４を付勢しており、抵抗部材１５４は、抵抗部材１５４と第２の固定部１２８ｂとの間に介在している。
【００３５】
操作感発生部材であるボール１５２および抵抗部材１５４と当接しているホルダー１５５は、切替部１５６の位置に応じてフォーカスリング１２２の回転軸方向（ｘ方向）における位置が変化する部材である。ホルダー１５５は、例えば、切替部１５６のピン１５６ｂが挿入される案内部１５５ａと、ボール１５２、第１の圧縮コイルばね１５１、および第１の固定部１２８ａを収容する開口部１５５ｂとが形成された部材である。
【００３６】
切替部１５６は、フォーカスリング１２２の径方向（ｙ方向）に延設された延設部１５６ａから高さ方向（ｚ方向）に突出するピン１５６を備える。切替部１５６はフォーカスリング１２２の径方向（ｙ方向）に直線移動する。ピン１５６は、ホルダー１５５の案内部１５５ａに挿入される。一方、ホルダー１５５の案内部１５５ａは、例えば、フォーカスリング１２２の径方向（ｙ方向）において回転軸方向（ｘ方向）の位置が変化するように斜めの開口として形成されている。これにより、切替部１５６のｙ方向への動きに応じて、案内部１５５ａに挿入されたピン１５６ｂがホルダー１５５をｘ方向に移動させることができる。また、ホルダー１５５の開口部１５５ｂにおいて、ｘ軸正方向側の内面１５５ｃはボール１５２と常に当接している。
【００３７】
本実施形態において、操作感切替機構の構成要素は、第１の圧縮コイルばね１５１、第２の圧縮コイルばね１５３、ホルダー１５５および切替部１５６である。
【００３８】
（２）クリックモード時の状態
クリックモード時、ボール１５２がフランジ部１２２ｃの第１面１２２ａに当接して押圧される。図４および図５に示すように、切替部１５６はクリックモード設定時の位置までｙ方向に移動される。そうすると、ピン１５６ｂが案内部１５５ａのｙ軸負方向側の端部まで移動し、これに伴ってホルダー１５５がｘ軸正方向側に移動される。このとき、ホルダー１５５の内面１５５ｃと第１の固定部１２８ａとの距離は徐々に大きくなるが、第１の圧縮コイルばね１５１はボール１５２をホルダー１５５の内面１５５ｃに向かって押圧し続ける。ホルダー１５５は、ボール１５２がフランジ部１２２ｃの第１面１２２ａに当接するまでｘ軸正方向側に移動される。
【００３９】
ボール１５２がフランジ部１２２ｃの第１面１２２ａに当接したとき、ホルダー１５５のｘ軸正方向への移動によって抵抗部材１５４もｘ軸正方向へ移動され、フランジ部１２２ｃの第２面１２２ｂから離隔される。抵抗部材１５４と第２の固定部１２８ｂとの間に介在する第２の圧縮コイルばね１５３は、ボール１５２がフランジ部１２２ｃの第１面１２２ａに当接する前より圧縮された状態となる。
【００４０】
このようにしてフォーカスリング１２２の使用感はクリックモードの状態となる。クリックモードにおいてフォーカスリング１２２を回転させると、第１の圧縮コイルばね１５１によってフランジ部１２２ｃの第１面１２２ａに押圧されているボール１５２が凹凸に沿って動く。このとき、ボール１５２が凸部を越えるときに凹部を動くときよりも大きな力が必要となり、これによりフォーカスリング１２２の回転時のクリック感を生じさせることができる。
【００４１】
また、クリックモードにおいては抵抗部材１５４がフォーカスリング１２２に接触していないため、フォーカスリング１２２を回転させるときの操作力は第１面１２２ａに押圧されているボール１５２を移動させるために必要な力のみとなる。このように、他の操作感発生部材の影響を受けることなく、フォーカスリング１２２に対するボール１５２の作用のみを考慮してクリック時に操作しやすい操作力を設定することができる。
【００４２】
（３）連続モード時の状態
連続モード時には、抵抗部材１５４がフランジ部１２２ｃの第２面１２２ｂに当接して押圧される。図６および図７に示すように、切替部１５６は連続モード設定時の位置までｙ方向に移動される。そうすると、ピン１５６ｂが案内部１５５ａのｙ軸正方向側の端部まで移動し、これに伴ってホルダー１５５がｘ軸負方向側に移動される。このとき、抵抗部材１５４が第２の圧縮コイルばね１５３によって押圧されてｘ軸負方向側に移動する。ホルダー１５５は、少なくとも抵抗部材１５４がフランジ部１２２ｃの第２面１２２ｂに当接するまでｘ軸負方向側に移動される。
【００４３】
抵抗部材１５４がフランジ部１２２ｃの第２面１２２ｂに当接したとき、ホルダー１５５のｘ軸負方向への移動によってボール１５２もｘ軸負方向へ移動され、フランジ部１２２ｃの第１面１２２ａから離隔される。ボール１５２と第１の固定部１２８ａとの間に介在する第１の圧縮コイルばね１５１は、抵抗部材１５４がフランジ部１２２ｃの第２面１２２ｂに当接する前より圧縮された状態となる。
【００４４】
このようにしてフォーカスリング１２２の使用感は連続モードの状態となる。連続モードにおいてフォーカスリング１２２を回転させると、第２の圧縮コイルばね１５３によってフランジ部１２２ｃの第２面１２２ｂに押圧されている抵抗部材１５４によって摺動抵抗を発生させつつ滑らかな操作感を生じさせることができる。また、連続モードにおいてはボール１５２がフォーカスリング１２２に接触していないため、フォーカスリング１２２を回転させるときの操作力は第２面１２２ｂに押圧されている抵抗部材１５４によって生じる摺動抵抗に逆らう力のみとなる。このように、他の操作感発生部材の影響を受けることなく、フォーカスリング１２２に対する抵抗部材１５４の作用のみを考慮して連続モード時に操作しやすい操作力を設定することができる。
【００４５】
＜３．変形例＞
本開示における操作部の操作感切替機構を有する操作機構の構成は、上述の構成に限定されるものではなく、例えば以下のように構成することもできる。
【００４６】
［３．１．操作部に対する操作感発生部材の作用方向］
操作機構において、異なる操作感を発生させる複数の操作感発生部材が操作部に対して作用する方向は、操作部の構成に応じて決定してもよい。例えば、図８に示すように、環状のダイヤル式の操作部２１０において、操作感発生部材を操作部２１０の径方向に移動させ、操作部２１０の内周面または外周面に作用するようにしてもよい。
【００４７】
図８に示す操作機構２００では、クリック感を発生させるために、操作部２１０の内周面２１２に凹凸を周方向に形成するとともに、内周面２１２と対向するようにボール２２０が配置されている。一方、滑らかに連続した操作感を発生させるために、操作部２１０の平坦な外周面２１４に対向するように抵抗部材２３０が配置されている。ボール２２０および抵抗部材２３０は、切替部（図示せず。）により、操作感モードに応じていずれか一方のみが操作部２１０に作用するように操作部２１０の径方向に移動される。すなわち、ボール２２０および抵抗部材２３０は、それぞれ独立して操作部２１０に対して作用する。
【００４８】
このように、操作機構２００は、図３〜図７に示した操作機構と同様の機能を奏することができる。なお、図８では操作部２１０の内周側にクリック感を発生させるための要素を配置し、外周側に連続した滑らかな操作感を発生させるための要素を配置したが、本開示はかかる例に限定されない。例えば、操作部２１０の外周側にクリック感を発生させるための要素を配置し、内周側に連続した滑らかな操作感を発生させるための要素を配置してもよい。
【００４９】
あるいは、例えば図９に示すように、円板状のダイヤル式の操作部３１０において、操作感発生部材を操作部３１０の回転軸方向に移動させ、操作部３１０の一平面３１２に対して作用するようにしてもよい。撮像装置１００のダイヤル式の操作部３１０としては、例えばモードダイヤル１３２、露出調整ダイヤル１３４、コントロールダイヤル１３６等がある。
【００５０】
図９に示す操作機構３００では、クリック感を発生させるために、操作部３１０の平面３１２には周方向に所定の間隔で凹部３１４が複数形成されており、これらの凹部３１４と対向するように１つのボール３２０が配置されている。一方、滑らかに連続した操作感を発生させるために、抵抗部材３３０が、操作部３１０の平面３１２のうち凹部３１４が形成されたボール３２０が作用する部分以外の部分に作用するように、平面３１２と対向して配置されている。ボール３２０および抵抗部材３３０は、回転軸方向にのみ移動可能である。
【００５１】
ボール３２０および抵抗部材３３０は、切替部（図示せず。）により、操作感モードに応じていずれか一方のみが操作部３１０に作用するように操作部３１０の回転軸方向に移動される。クリックモードにおいては、ボール３２０が操作部３１０の凹部３１４の形成された環状の作用領域に圧縮コイルばね等の弾性部材によって押し付けられている。操作部３１０が回転軸周りに回転されると、凹部３１４に押し付けられているボール３２０が操作部３１０の回転力によって押し戻される。さらに操作部３１０が回転されると、ボール３２０はボール３２０の位置へ移動されてきた次の凹部３１４に弾性部材によって押し付けられる。操作部３１０の回転時にこのようなボール３２０の動きが繰り返し行われることで、操作部３１０を回転させるために必要な操作力が周期的に変化され、クリック感を発生させることができる。クリックモード時、抵抗部材３３０は操作部３１０に接触していない。
【００５２】
一方、連続モードにおいては、抵抗部材３３０が圧縮コイルばね等の弾性部材によって操作部３１０の平面３１２に押し付けられている。操作部３１０が回転軸周りに回転されると、抵抗部材３３０によって摺動抵抗が発生し、一定の操作力で回転できるようになる。このとき、ボール３２０は操作部３１０に接触していない。
【００５３】
ボール３２０および抵抗部材３３０は、切替部（図示せず。）によってそれぞれ独立して操作部３１０に対して作用させることができる。これにより、操作機構３００は、異なる操作感を独立して設定することができ、図３〜図７に示した操作機構と同様の機能を奏することができる。
【００５４】
なお、図９では、操作部３１０に対して回転軸方向の同一側に操作感発生部材であるボール３２０および抵抗部材３３０が配置されていたが、本開示はかかる例に限定されない。例えば、ボール３２０と抵抗部材３３０とは、操作部３１０の異なる面にそれぞれ回転軸方向に動いて作用するようにしてもよい。また、図９では、操作部３１０の径方向において外周縁部側にボール３２０を配置し、中心側に抵抗部材３３０を配置しているが、本開示はかかる例に限定されない。例えば、操作部３１０の径方向において中心側にボール３２０を配置し、外周縁部側に抵抗部材３３０を配置してもよい。
【００５５】
［３．２．操作感の強弱変更］
上述の説明では、異なる操作感として、クリック感とクリック感のない滑らかな操作感とを例にしてきたが、例えば、操作感の強さを相違させて異なる操作感を発生させることもできる。
【００５６】
（１）操作感の重さの変更
図１０に示す操作機構４００は、操作部４１０をクリック感のない滑らかな操作感で操作可能であって、さらにその摺動抵抗の強さを切り替えて異なる操作感を発生させることができるように構成されている。図１０の例は、図３〜図７と同様、環状の操作部材４１０の回転中心を通るよう直径方向に切断したときの環状部分の一部を模式的に示した概略端面図である。操作部４１０は、図１０紙面の手前側あるいは奥側へ回転可能である。操作部４１０の内周面には、固定枠１２８の外周面に向かって突出する環状のフランジ部４１２ｃを有している。
【００５７】
フランジ部４１２ｃの第１面４１２ａと対向するように第１抵抗部材４２２が設けられ、第１面４１２ａと反対側の第２面４１２ｂと対向するように第２抵抗部材４２４が設けられている。第１抵抗部材４２２と第２抵抗部材４２４とは、切替部（図示せず。）によっていずれか一方のみがフランジ部４１２ｃに当接するように構成されている。第１抵抗部材４２２は、フランジ部４１２ｃの第１面４１２ａに当接しているとき、圧縮コイルばね等の第１弾性部材４２１によって第１面４１２ａに押し付けられている。第２抵抗部材４２４は、フランジ部４１２ｃの第２面４１２ｂに当接しているとき、圧縮コイルばね等の第２弾性部材４２３によって第２面４１２ｂに押し付けられている。
【００５８】
操作機構４００では、フランジ部４１２ｃに当接している抵抗部材によって操作部４１０を回転させる際に必要な操作力が異なり、異なる操作感を発生させている。操作感の相違は、例えば第１弾性部材４２１と第２弾性部材４２３との弾性力の強さを相違させることで実現できる。例えば圧縮コイルばねにおいてばね定数が大きい等、弾性部材が強いほど、抵抗部材によって発生する摺動抵抗が大きくなり、操作部４１０に重い操作感を与えることができる。あるいは、第１抵抗部材４２２と第２抵抗部材４２４との材質を相違させることでも、操作感を相違させることができる。抵抗部材の摩擦係数を大きくすると発生する摺動抵抗が大きくなり、操作部４１０に重い操作感を与えることができる。
【００５９】
このように、操作機構４００は、図３〜図７に示した操作機構と同様の機能を奏することができる。なお、図１０では、操作部４１０をクリック感のない滑らかな操作感で操作する連続モード時の操作感の強弱を独立して切り替え可能に構成された操作機構４００について説明したが、本開示はかかる例に限定されない。例えばクリックモード時の操作感の強弱も同様に独立して切り替えることができる。
【００６０】
また、操作部４１０に対する各操作感発生部材の作用方向は、図１０に示した以外にも、例えば図８のように、環状の操作部において操作感発生部材を操作部の径方向に移動させ、操作部の内周面または外周面に作用するようにしてもよい。あるいは、例えば図９のように、円板状の操作部において操作感発生部材を操作部の回転軸方向に移動させ、操作部の一平面に対して作用するようにしてもよい。
【００６１】
（２）クリック数の変更
図１１に示す操作機構５００は、操作部５１０のクリック感の大きさを切り替えて異なる操作感を発生させることができるように構成されている。クリック感の大きさとは、クリックを発生させる凹凸のピッチ（隣り合う凸部の山の間隔）により決定するものであり、１クリックに対する操作部５１０の移動量が大きいほど、クリック感は大きくなる。
【００６２】
図１１に示す操作機構５００は、図８と同様、環状の操作部５１０において操作感発生部材を操作部５１０の径方向に移動させて異なるクリック感を発生させるものである。操作部５１０の内周面５１２には、第１のピッチで凹凸が周方向に形成されている。内周面５１２と対向するように第１のボール５２０が配置されている。一方、操作部５１０の外周面５１４には、第２のピッチで凹凸が周方向に形成されている。外周面５１４と対向するように第２のボール５３０が配置されている。図１１の例では、第１のピッチの方が第２のピッチよりも大きい。
【００６３】
第１のボール５２０および第２のボール５３０は、切替部（図示せず。）により、発生させるクリック感の大きさに応じていずれか一方のみが操作部５１０に作用するように操作部５１０の径方向に移動される。すなわち、第１のボール５２０および第２のボール５３０は、それぞれ独立して操作部５１０に対して作用する。第１のボール５２０は、内周面５１２に当接しているとき、圧縮コイルばね等の弾性部材によって内周面５１２に押し付けられている。第２のボール５３０は、外周面４１４に当接しているとき、圧縮コイルばね等の弾性部材によって外周面５１４に押し付けられている。
【００６４】
例えば、第１のボール５２０が操作部５１０の内周面５１２に押し付けられているとき、ユーザは操作部５１０を大きなクリック感（以下、「第１のクリック感」ともいう。）で操作することができる。このとき、第２のボール５３０は操作部５１０から離隔されている。一方、第２のボール５３０が操作部５１０の外周面５１４に押し付けられているとき、ユーザは操作部５１０を第１のクリック感よりも小さい第２のクリック感で操作することができる。このとき、第１のボール５２０は操作部５１０から離隔されている。
【００６５】
このように、操作機構５００は、図３〜図７に示した操作機構と同様の機能を奏することができる。なお、操作部５１０に対する各操作感発生部材の作用方向は、図１１に示した以外にも、例えば図３〜７のように、操作感発生部材を環状の操作部の径方向に延設されたフランジ部に対して回転軸方向に移動させて、操作部に作用させるようにしてもよい。あるいは、例えば図９のように、円板状の操作部において操作感発生部材を操作部の回転軸方向に移動させ、操作部の一平面に対して作用するようにしてもよい。
【００６６】
なお、図３〜図１１に基づき説明した操作機構は、それぞれ操作部に対して２つの異なる操作感を切り替え可能なものとして説明したが、これらの構成を組み合わせた操作機構も構成可能である。例えば、図１０に示す操作機構４００に対して、図８や図１１のように操作部４１０の外周面またはフランジ部４１２ｃの内周面に凹凸を形成し、これに対向してボールを配置する。これにより、操作部４１０において２つの異なる連続モードに加え、クリックモードも設定することが可能となる。
【００６７】
また、上述の操作機構において、３つ以上の異なる操作感を切り替え可能に構成することもできる。例えば、図８に示す例において、抵抗部材２３０とは異なる摩擦係数を有する抵抗部材をさらに設けて外周面２１４に対して作用させてもよい。あるいは抵抗部材２３０を操作部２１０に押し付ける力を段階的に切り替え可能とし、複数の異なる操作感を発生させることもできる。これらの操作機構では、操作部に作用する操作感発生部材は選択された操作感モードに対応する１つのる操作感発生部材のみであり、このとき他の操作感発生部材は操作部から離隔される。
【００６８】
［３．３．操作感および機能の切替］
上述の操作機構において切替部によって操作部の操作感を切り替える際に、操作部の機能も切り替えることも可能である。
【００６９】
例えば、ズームを調整するズームリングと絞り値を設定する絞りリングとを１つの操作リングとし、切替部によって２つの異なる操作感を切り替えるときに操作リングの機能も変更できるようにしてもよい。具体的には、操作リングを図３〜図７のフォーカスリング１２２のように構成し、例えば連続モード選択時には操作リングをズームリングとして機能させ、クリックモード選択時には操作リングを絞りリングとして機能させるようにする。これにより、２つのリングを１つに集約することができる。
【００７０】
また、連続的に調整することの多いズーム調整に連続モードを割り当て、正確に値を設定したい絞り値の設定にクリックモードを割り当てることで、機能に合った操作しやすい操作感を操作リングに与えることができ、操作性が向上する。もちろん、連続モード選択時に操作リングを絞りリングとして機能させ、クリックモード選択時に操作リングをズームリングとして機能させてもよい。
【００７１】
他の例として、図１１に示した操作機構５００のように異なるクリック感を発生可能な場合にも、切替部によって２つの異なる操作感を切り替えるときに操作部の機能も変更することができる。例えば、クリック数の小さい、すなわち１クリックでの移動量が大きくクリック感が大きいモードを選択時には絞り値を設定可能にし、クリック数の大きい、すなわち１クリックでの移動量が小さくクリック感が小さいモードを選択時には露光値を設定可能にする。操作感に基づく操作部への機能の割り当ては、設定ポジションの数によって決定してもよい。例えば絞り値よりも露光値の方が細かい調整がなされるので、露光値の設定にクリック感の小さいモードを割り当てる。
【００７２】
＜４．操作感切替機構の作動＞
上述の操作機構において切替部による操作部の操作感の切り替えは、ユーザが手動で切替部を操作して切り替えてもよく、撮像装置１００の撮影モードに応じて自動的に切り替わるようにしてもよい。操作感の自動切り替えに際しては、撮像装置１００に、切替部を駆動する切替駆動部と、切替駆動部を制御する切替制御部とが備えられる。撮影モードには静止画を撮影する静止画撮影モードと動画を撮影する動画撮影モードとがあり、切替制御部は、撮像モードの設定を検知して、撮影モードに応じて操作部の操作感を切り替える。
【００７３】
例えば図３〜図７のフォーカスリング１２２において、静止画撮影モードに設定されているとき、切替制御部はフォーカスリング１２２がクリックモードとなるように、切替駆動部を制御する。一方、動画撮影モードに設定されているとき、切替制御部はフォーカスリング１２２が連続モードとなるように切替駆動部を制御する。動画撮影モード時にフォーカスリング１２２の操作感モードを連続モードとすることで操作音が発生しなくなり、撮影時の取得音声の妨げとならないようにすることができる。
【００７４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７５】
例えば、上記実施形態では、回転操作する環状や円板状の操作部に対する操作感の切替えについて説明したが、本開示はかかる例に限定されない。例えば、直線移動させて操作するスライド式の操作部に対しても同様に適用できる。
【００７６】
また、上記実施形態では、クリック感を発生させる操作感発生部材としてボールを用いたが、本開示はかかる例に限定されない。例えば、ボールの代わりに、クリック感を発生させる操作感発生部材として板ばねを使用してもよい。
【００７７】
さらに、上記実施形態では、デジタルスチルカメラやカムコーダ等の撮像装置１００における操作感切替機構を備える操作機構について説明したが、本開示はかかる例に限定されない。例えば、オーディオ機器やパーソナルコンピュータ、スマートフォンやタブレット端末等の移動通信端末の操作部にも適用可能である。例えばスピーカーの音量調整用のダイヤル等にも適用可能である。
【００７８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００７９】
なお、以下のような構成も本開示の技術的範囲に属する。
（１）固定部に対して摺動可能な操作部と、
前記操作部に対して異なる操作感を発生させる複数の操作感発生部材と、
前記複数の操作感発生部材を独立して切り替え、前記操作部に作用する前記操作感発生部材を切り替える切替部と、
を備える、操作機構。
（２）前記切替部は、前記操作部に対して操作負荷を与え、連続して摺動可能に作用する第１の操作感発生部材と、前記操作部の摺動に伴ってクリック感を発生させるように前記操作部に作用する第２の操作感発生部材と、を切り替える、前記（１）に記載の操作機構。
（３）前記第１の操作感発生部材は、前記操作部に接触して操作負荷を与え摺動抵抗を生じさせる、前記（２）に記載の操作機構。
（４）前記操作部には、前記第２の操作感発生部材が接触する部分にクリック感の間隔に応じた凹凸が形成されており、
前記第２の操作感発生部材は、前記凹凸に付勢されて、前記操作部の摺動に伴ってクリック感を生じさせる、前記（２）または（３）に記載の操作機構。
（５）前記操作部は、周方向に沿って前記操作感発生部材が接触するフランジ部を備える環状部材であり、
前記操作部の回転軸方向における前記フランジ部の第１面と当該第１面の反対側にある第２面とに対して、前記複数の操作感発生部材がそれぞれ独立して作用する、前記（１）〜（４）のいずれか１項に記載の操作機構。
（６）前記操作部は環状部材であり、
前記操作部の内周面または外周面のうち少なくともいずれか一方に対して、前記複数の操作感発生部材が前記操作部の径方向から作用する、前記（１）〜（４）のいずれか１項に記載の操作機構。
（７）前記操作部は回転軸を中心に回転可能な板状部材であり、
前記操作部の回転軸方向における前記操作部の第１面、または前記第１面と当該第１面の反対側にある第２面のうち少なくともいずれか一方の面に対して、前記複数の操作感発生部材が作用する、前記（１）〜（４）のいずれか１項に記載の操作機構。
（８）前記複数の操作感発生部材は、前記操作部に対して与える操作負荷の大きさが異なる、前記（１）に記載の操作機構。
（９）前記操作部は、凹凸のピッチの異なる複数の凹凸面を有し、
前記各凹凸面に対してそれぞれ前記操作感発生部材が付勢され、
前記切替部は、前記各操作感発生部材を切り替えることにより、前記操作部の摺動に伴って異なるクリック感を生じさせる、前記（１）に記載の操作機構。
（１０）前記切替部は、前記操作感発生部材の切り替えとともに、前記操作部の機能を変更する、前記（１）〜（９）のいずれか１項に記載の操作機構。
（１１）撮像部と、
１または複数の操作部と、
前記操作部の操作情報に基づいて前記撮像部を制御する制御部と、
を備え、
少なくとも１つの前記操作部は、
固定部に対して摺動可能であり、
当該操作部に対して異なる操作感を発生させる複数の操作感発生部材と、
前記複数の操作感発生部材を独立して切り替え、前記操作部に作用する前記操作感発生部材を切り替える切替部と、
を有する、撮像装置。
（１２）前記撮像装置の撮影モードに基づいて、前記操作部の操作感を切り替える切替制御部を備える、前記（１１）に記載の撮像装置。
【符号の説明】
【００８０】
１００                          撮像装置
１１０                          本体部
１２０                          カメラ部
１２２                          フォーカスリング
１２２ａ、４１２ａ              フランジ部の第１面
１２２ｂ、４１２ｂ              フランジ部の第２面
１２２ｃ、４１２ｃ              フランジ部
１２８                          固定枠
１５１                          第１の圧縮コイルばね
１５２、２２０、３２０          ボール
１５３                          第２の圧縮コイルばね
１５４、２３０、３３０          抵抗部材
１５５                          ホルダー
１５５ａ                        案内部
１５５ｂ                        開口部
１５６                          切替部
１５６ｂ                        ピン
２００、３００、４００、５００  操作機構
２１０、３１０、４１０、５１０  操作部
２１２、５１２                  内周面
２１４、５１４                  外周面
３１２                          操作部の一平面
３１４                          凹部
４１２                          第１弾性部材
４２２                          第１抵抗部材
４２３                          第２弾性部材
４２４                          第２抵抗部材
５２０                          第１のボール
５３０                          第２のボール
【図１】
2015075912.tif 000003
【図２】
2015075912.tif 000004
【図３】
2015075912.tif 000005
【図４】
2015075912.tif 000006
【図５】
2015075912.tif 000007
【図６】
2015075912.tif 000008
【図７】
2015075912.tif 000009
【図８】
2015075912.tif 000010
【図９】
2015075912.tif 000011
【図１０】
2015075912.tif 000012
【図１１】
2015075912.tif 000013